(57)【特許請求の範囲】
【請求項１】
上面部に吸込み口、下面部に吹出し口、内部に前記吸込み口と前記吹出し口との間を連通させる通風路を有した室内機本体と、
前記室内機本体の前面開口部に開閉可能に設けられた化粧パネルと、
前記通風路中に設けられ前記室内機本体外の空気を前記吸込み口から前記通風路内へ吸い込むとともに、前記通風路内の空気を前記吹出し口から前記室内機本体外へ吹き出す送風機と、
前記通風路中に設けられ前記吸込み口から前記通風路内に吸い込まれる空気中の塵挨を捕獲するエアフィルタと、
前記通風路にあって前記エアフィルタと前記送風機との間に設けられ前記エアフィルタを通過した空気と熱交換する熱交換器と、
前記化粧パネルにより開閉される前記室内機本体の前面部に設けられ、電気部品が実装され室内機を制御する制御基板を有する電気部品ユニットと、
室内機に電力を供給するための電源コードを固定する電源コード固定ホルダと、
を備え、
前記電気部品ユニットは、
前記制御基板を板金から形成された部材により覆うことで構成した不燃材料被覆部と、
前記制御基板以外の部品を前記板金から形成された部材により覆うことなく構成した不燃材料非被覆部と、
を一体的に有し、
前記電源コード固定ホルダは、複数種類の前記電源コードを固定可能な単独の部材で構成されており、且つ、前記電源コードの固定形状を当該電源コードの種類に応じて異ならせるように構成されている空気調和機の室内機。
【請求項２】
前記不燃材料非被覆部は、前記電源コード固定ホルダを有する請求項１に記載の空気調和機の室内機。
【請求項３】
前記不燃材料非被覆部は、前記制御基板以外の部品として、前記化粧パネルの開閉を検知する開閉検知スイッチを有する請求項１または２に記載の空気調和機の室内機。
【請求項４】
前記不燃材料非被覆部は、前記制御基板以外の部品として、手動により操作される手動スイッチを有する請求項１から３の何れか１項に記載の空気調和機の室内機。
【発明の詳細な説明】
【技術分野】
【０００１】
本実施形態は、空気調和機の室内機に関する。
【背景技術】
【０００２】
空気調和機を構成する室内機においては、室内機の動作を制御するための制御基板を有する電気部品ユニットは、室内機本体内の熱交換器の側部に取り付けられていた。しかし、近年では、熱交換器を室内機本体内のほぼ全幅にわたって配置することにより熱交換機能の増大を図ることが行われている。そのため、室内機本体内において熱交換器の側部に電気部品ユニットを取り付けるための十分なスペースを確保することが困難となっており、近年では、例えば特許文献１に開示されているように、電気部品ユニットを、室内機本体の前面部に取り付けることが考えられている。
【先行技術文献】
【特許文献】
【０００３】
【特許文献１】特開２０１３−１２４８０４号公報
【発明の概要】
【発明が解決しようとする課題】
【０００４】
ところで、室内機本体の形状にはデザイン的な機能も求められるため、電気部品ユニットを室内機本体の前面部に取り付ける構成では、電気部品ユニットの形状を室内機本体の前面部収納スペースの形状に合わせることが行われている。また、この電気部品ユニットは、仮に電気部品が発火したとしても外部に延焼することを防止するため、外郭を不燃物で覆う必要がある。しかしながら、室内機本体の前面部の収納スペース形状に合わせることで電気部品ユニットの形状が複雑化してしまうと、電気部品ユニット全体を覆うため不燃物の容積が拡大化してしまい、室内機本体内に収容することが困難となったり、不燃物の形状が複雑化してしまうといった課題が生じる。
【０００５】
本実施形態は、室内機本体の前面部に電気部品ユニットを取り付ける場合であっても、当該電気部品ユニットを不燃物により適切に覆うことができる空気調和機の室内機を提供する。
【課題を解決するための手段】
【０００６】
本実施形態の空気調和機の室内機は、室内機本体と、化粧パネルと、送風機と、エアフィルタと、熱交換器と、電気部品ユニットと、電源コード固定ホルダと、を備える。室内機本体は、上面部に吸込み口、下面部に吹出し口、内部に前記吸込み口と前記吹出し口との間を連通させる通風路を有する。化粧パネルは、前記室内機本体の前面開口部に開閉可能に設けられている。送風機は、前記通風路中に設けられ前記室内機本体外の空気を前記吸込み口から前記通風路内へ吸い込むとともに、前記通風路内の空気を前記吹出し口から前記室内機本体外へ吹き出す。エアフィルタは、前記通風路中に設けられ前記吸込み口から前記通風路内に吸い込まれる空気中の塵挨を捕獲する。熱交換器は、前記通風路にあって前記エアフィルタと前記送風機との間に設けられ前記エアフィルタを通過した空気と熱交換する。電気部品ユニットは、前記化粧パネルにより開閉される前記室内機本体の前面部に設けられ、電気部品が実装され室内機を制御する制御基板を有する。電源コード固定ホルダは、室内機に電力を供給するための電源コードを固定する。そして、前記電気部品ユニットは、不燃材料被覆部と、不燃材料非被覆部とを一体的に有する。不燃材料被覆部は、前記制御基板を板金から形成された部材により覆うことで構成したものである。不燃材料非被覆部は、前記制御基板以外の部品を前記板金から形成された部材により覆うことなく構成したものである。前記電源コード固定ホルダは、複数種類の前記電源コードを固定可能な単独の部材で構成されており、且つ、前記電源コードの固定形状を当該電源コードの種類に応じて異ならせるように構成されている。
【図面の簡単な説明】
【０００７】
【図１】本実施形態に係る空気調和機の室内機の構成を概略的に示す縦断面図
【図２】室内機の内部を示す斜視図
【図３】電気部品ユニットを分解して示す斜視図
【図４】電源コード固定部及びその周辺部分を表側から見た斜視図
【図５】図９のＡ−Ａ線に沿うコネクタ被覆部の縦断面図
【図６】図９のＢ−Ｂ線に沿うコネクタ被覆部の縦断面図
【図７】（ａ）は電源コード固定ホルダを表側から斜めに見た斜視図、（ｂ）は電源コード固定ホルダを裏側から斜めに見た斜視図
【図８】電源コード固定部及びその周辺部分を裏側から見た斜視図
【図９】コネクタ被覆部及びその周辺部分を示す正面図
【図１０】電源コード固定部に電源コードを固定した状態を示す図（その１）
【図１１】電源コード固定部に電源コードを固定した状態を示す図（その２）
【図１２】リセットスイッチ収納部及びその周辺部分を示す断面図
【発明を実施するための形態】
【０００８】
以下、空気調和機の室内機の一実施形態について図面を参照しながら説明する。図１に例示すように、空気調和機の室内機１０は、上下方向の高さ寸法に対して左右方向の幅寸法が長い横長の箱状をなす室内機本体１１の内部に、熱交換器１２や送風機１３などを備える。室内機本体１１の上面部には、その上面のほぼ全体にわたって開口部からなる吸込み口１４が設けられている。室内機本体１１の下面部には、開口部からなる吹出し口１５が設けられている。室内機本体１１の内部には、吸込み口１４から吹出し口１５にわたってこれらの間を連通させる通風路１６が形成されている。
【０００９】
吸込み口１４には、エアフィルタ１７を支持するフィルタ支持枠１８が取り付けられている。このフィルタ支持枠１８は、側面視で上方へ向けて凸となる湾曲状をなしており、熱交換器１２の上方から前方にわたって当該熱交換器１２を覆う形態で配設されている。このフィルタ支持枠１８に支持されたエアフィルタ１７は、通気性を有し当該フィルタ支持枠１８に対して着脱可能に取り付けられている。そして、エアフィルタ１７は、フィルタ支持枠１８に沿って熱交換器１２の上方から前方にわたって当該熱交換器１２を覆う形態で配置されている。エアフィルタ１７と熱交換器１２との間には、隙間が形成されている。フィルタ支持枠１８及びエアフィルタ１７も、正面から見て左右方向に長く形成されている。
【００１０】
室内機本体１１の前面開口部には、当該前面開口部を開閉する化粧パネル２０が取り付けられている。この化粧パネル２０は、例えば合成樹脂製であり、その左右両端部が室内機本体１１の側面部に回動可能に支持されている。
室内機本体１１の下面部には、２枚の上下用ルーバー２１が設けられている。これら上下用ルーバー２１は、それぞれ、その後端部が回動可能に支持されている。そして、上下用ルーバー２１は、その前端部が上下方向に揺動されることで、吹出し口１５から吹き出される風を上下方向に案内する。室内機本体１１において、上下用ルーバー２１の上方の奥側には、複数枚の左右用ルーバー２２が設けられている。これら左右用ルーバー２２は、相互に連動して先端部が左右方向に揺動されることで、吹出し口１５から吹き出される風を左右方向に案内する。
【００１１】
送風機１３は、正面から見て左右方向に長い横流ファンにより構成されている。この送風機１３は、吹出し口１５の上方に位置させて、室内機本体１１のほぼ中央部に配置されている。この送風機１３が駆動されると、室内機本体１１外の空気が吸込み口１４から通風路１６内に吸い込まれるとともに、通風路１６内の空気が吹出し口１５から室内機本体１１外へ吹き出される。
【００１２】
熱交換器１２は、この場合、前側熱交換部１２ａ及び後側熱交換部１２ｂに分割されている。これら前側熱交換部１２ａ及び後側熱交換部１２ｂは、送風機１３の上方部位で相互に連結されており、側面から見て山形状に配置されている。また、前側熱交換部１２ａは、送風機１３の前方部位で前側に凸となるように折れ曲がっており、側面から見て湾曲した形態となっている。前側熱交換部１２ａ及び後側熱交換部１２ｂも、送風機１３と同様に、正面から見て左右方向に長く形成されている。これら前側熱交換部１２ａ及び後側熱交換部１２ｂは、送風機１３を上方及び前方から覆う形態で配置されている。
【００１３】
前側熱交換部１２ａ及び後側熱交換部１２ｂは、それぞれ所定の間隔をおいて対向した状態で配置された多数枚のフィン２４を、冷媒が通る配管２５が貫通した形態となっている。この場合、各フィン２４は、アルミニウムなどの導電性を有する材料で構成されている。従って、熱交換器１２は、導電性を有する構成とされている。熱交換器１２の配管２５は、図示しない圧縮機を備えた冷凍サイクルに接続されている。
【００１４】
フィルタ支持枠１８の前面となる表面側には、電気部品ユニット３１が取り付けられている。この場合、図２に示すように、電気部品ユニット３１は、フィルタ支持枠１８の表面において正面から見て上下方向の中央部で、かつ左右方向の右寄りの部分に配置されている。この電気部品ユニット３１は、不燃材料被覆部１０１及び不燃材料非被覆部１０２を一体的に有する構成である。そして、電気部品ユニット３１は、不燃材料被覆部１０１として、制御基板被覆部１０３及びコネクタ被覆部１０４を有している。また、電気部品ユニット３１は、不燃材料非被覆部１０２として、電源コード固定部１０５及びリセットスイッチ収納部１０６を有している。以下、制御基板被覆部１０３、コネクタ被覆部１０４、電源コード固定部１０５、リセットスイッチ収納部１０６の構成について詳細に説明する。
【００１５】
（制御基板被覆部について）
図３に示すように、制御基板被覆部１０３には、各種の電気部品３２が実装された制御基板３３が収納されている。この制御基板３３は、マイクロコンピュータなどの電気部品を実装しており、室内機１０を制御するための制御機能を備えている。図１に示すように、制御基板被覆部１０３は、その外殻が外ケース３４と内ケース３５からなる二重構造となっている。外ケース３４は、例えばアルミニウムなどといった金属材料からなる板金から形成されたものである。一方、内ケース３５は、合成樹脂製であり、外ケース３４内に配置されている。
【００１６】
外ケース３４は、ベース部３４ａと、このベース部３４ａに対して着脱可能に装着されるカバー部３４ｂの２部品により構成されている。即ち、制御基板被覆部１０３は、金属製の外ケース３４により覆われた構成となっている。また、内ケース３５も、ベース部３５ａと、このベース部３５ａに対して着脱可能に装着されたカバー部３５ｂの２部品により構成されている。制御基板３３は、合成樹脂製のベース部３５ａに取り付けられている。
【００１７】
制御基板被覆部１０３は、特に、その前側部分、つまりカバー部３４ｂ及びカバー部３５ｂからなる二重構造部分の形状が、室内機本体１１の前面部の形状に合わせられた形状となっている。よって、制御基板被覆部１０３の前面は、室内機本体１１の前面開口部を閉塞した化粧パネル２０の裏面に沿うようになっている。
【００１８】
（コネクタ被覆部について）
図３及び図４に示すように、コネクタ被覆部１０４には、電源コードが接続されるコネクタ４１が収納されている。図５及び図６に示すように、コネクタ被覆部１０４は、表側カバー部６１と裏側カバー部６２により覆われた構成となっている。この場合、表側カバー部６１は、第１カバー部６２ａと第２カバー部６２ｂの２部品からなる。第１カバー部６２ａは、例えばアルミニウムなどといった金属材料からなる板金から形成されたものである。この第１カバー部６２ａは、縦方向よりも横方向の方が長い矩形箱状をなしており、コネクタ４１の上方部分を覆っている。一方、第２カバー部６２ｂは、合成樹脂製のベース部６２ｃの表面に、例えばアルミニウムなどといった金属材料からなる板金から形成された金属カバー部６２ｄを有する二重構造となっている。この第２カバー部６２ｂは、横方向よりも縦方向の方が長い長尺な形状をなしており、コネクタ４１の表面側及び当該コネクタ４１の下方部分を覆っている。
【００１９】
図３に示すように、裏側カバー部６２は、外ケース３４のベース部３４ａの右端部を延出して設けたものである。即ち、裏側カバー部６２は、外ケース３４のベース部３４ａと一体的に設けられている。この裏側カバー部６２の右端部は、コネクタ４１の右方において表面側に向かって折り曲げられており、これにより、コネクタ４１の右側面を覆うようになっている。
【００２０】
（電源コード固定部について）
図４に示すように、電源コード固定部１０５は、コネクタ被覆部１０４の右横に設けられている。電源コード固定部１０５は、電源コード固定ホルダ４２と、開閉検知スイッチ４３を有する。電源コード固定ホルダ４２は、合成樹脂製であり、図７に示すように、全体として長尺な形状を成している。そして、電源コード固定ホルダ４２は、電源コード支持部４４及び開閉検知スイッチ支持部４５を有する。この場合、電源コード支持部４４は、電源コード固定ホルダ４２の後側に、開閉検知スイッチ支持部４５は、電源コード固定ホルダ４２の前側に設けられている。
【００２１】
電源コード支持部４４は、当該電源コード支持部４４の長手方向に沿うベース壁部４６及び支持壁部４７を有する。これらベース壁部４６及び支持壁部４７は、前後に所定の間隔を有して相互に対向している。ベース壁部４６は、切欠き部を有しない面状の壁部となっており、その一端部に、内面側に突出するガイド片部４８を有している。一方、支持壁部４７は、その長手方向のほぼ中央部に矩形状の切欠き部４９を有している。そして、支持壁部４７は、この切欠き部４９を挟んで第１支持壁部４７ａと第２壁部壁部４７ｂとに分割されている。この場合、第２支持壁部４７ｂは、その先端部が外方に屈曲しており、その屈曲した部分に、内面側に突出するガイド片部５０を有している。
【００２２】
開閉検知スイッチ支持部４５は、長尺な矩形枠状をなしており、その枠内に開閉検知スイッチ４３が支持される。開閉検知スイッチ支持部４５は、不燃材料被覆部１０１側の壁部の一部が切り欠かれており、この切り欠かれた部分に開閉検知スイッチ４３から延びる図示しないリード線が収められるようになっている。
【００２３】
この電源コード固定部１０５は、図４に示すように、コネクタ被覆部１０４の右側に、当該コネクタ被覆部１０４に隣接した状態で取り付けられる。これにより、電源コード固定部１０５は、コネクタ被覆部１０４を含む不燃材料被覆部１０１にユニット化される。なお、図８に示すように、この場合、電源コード固定部１０５は、コネクタ被覆部１０４の裏側からねじ５５により固定されるようになっている。
【００２４】
図９に示すように、電源コード固定部１０５に取り付けられている開閉検知スイッチ４３は、コネクタ被覆部１０４によって覆われることなく、表面側に露出した状態となる。一方、化粧パネル２０の裏面には、開閉検知スイッチ４３を押圧操作するための図示しない突起が設けられている。化粧パネル２０が室内機本体１１の前面開口部を閉塞した状態になると、その化粧パネル２０の裏側に設けられている図示しない突起が開閉検知スイッチ４３を押圧し、開閉検知スイッチ４３がオンされる。これにより、開閉検知スイッチ４３は、化粧パネル２０が閉じられていることを検知する。一方、化粧パネル２０が開かれると、当該化粧パネル２０の突起による開閉検知スイッチ４３の押圧が解除され、開閉検知スイッチ４３がオフする。これにより、開閉検知スイッチ４３は、化粧パネル２０が開かれていることを検知する。
【００２５】
また、この電源コード固定部１０５の電源コード固定ホルダ４２は、室内機１０が備える各種の電気部品に電力を供給するための電源コードを固定するものであるが、この場合、少なくとも２種類の電源コードを固定可能に構成されている。即ち、図１０に示すように、電源コード固定部１０５は、アース線を有しない２芯型の電源コード２０１を固定することができる。この場合、電源コード２０１は、いわゆる平行型の電源コードであり、この電源コード２０１により供給される電力は、例えば、単相１００Ｖで１５Ａの電力である。
【００２６】
コネクタ４１に接続される電源コード２０１は、ガイド片部４８によりガイドされてベース壁部４６と支持壁部４７との間に挿通され、さらにガイド片部５０によりガイドされて電源コード固定部１０５から導出される。ガイド片部４８とガイド片部５０との間においては、電源コード２０１は、第１支持壁部４７ａの内側に挿通され、これにより、直線状に延びた状態で支持される。また、電源コード２０１は、このようにベース壁部４６と支持壁部４７との間において直線状に支持されるため、特にガイド片部４８周辺においては略直角に折り曲げられた状態となる。
【００２７】
また、図１１に示すように、電源コード固定部１０５は、アース線を有する３芯型の電源コード２０２も固定することができる。この場合、電源コード２０２は、いわゆるタンデム型の電源コードであり、この電源コード２０２により供給される電力は、例えば、単相２００Ｖで１５Ａの電力である。
【００２８】
コネクタ４１に接続される電源コード２０２は、ガイド片部４８によりガイドされて第１支持壁部４７ａの外側に導かれ、さらに、切欠き部４９から第２壁部壁部４７ｂの内側に導かれる、そして、電源コード２０２は、ガイド片部５０によりガイドされて電源コード固定部１０５から導出される。ガイド片部４８とガイド片部５０との間においては、電源コード２０２は、一旦は支持壁部４７の外側に導かれ、その後、切欠き部４９から支持壁部４７の内側に導かれる。これにより、電源コード２０２は、蛇行した状態で支持される。
【００２９】
アース線を有する３芯型の電源コード２０２は、アース線を有しない２芯型の電源コード２０１よりも硬い。そのため、このような３芯型の電源コード２０２を電源コード２０１のように直線状に支持すると、特にガイド片部４８の周辺において略直角に折り曲げられる部分に大きな負荷がかかる。そのため、アース線を有する３芯型の電源コード２０２は、図１１に例示するように蛇行した状態、つまり直角に折り曲げられない状態で支持することが好ましい。
【００３０】
（リセットスイッチ収納部について）
リセットスイッチ収納部１０６は、不燃材料被覆部１０１の一部である制御基板被覆部１０３の左横に設けられている。図１２に示すように、リセットスイッチ収納部１０６は、合成樹脂製のベース部７１ａと、このベース部７１ａの前面開口部に着脱可能に装着された合成樹脂製のカバー部７１ｂの２部品により構成されている。この場合、不燃材料被覆部１０１側の合成樹脂製のベース部３５ａは、リセットスイッチ収納部１０６の裏側まで延びていて、当該リセットスイッチ収納部１０６のベース部７１ａを構成している。即ち、制御基板被覆部１０３のベース部３５ａは、リセットスイッチ収容部７１のベース部７１ａと一体的に設けられている。従って、リセットスイッチ収容部７１は、制御基板被覆部１０３において制御基板３３が取り付けられる部品、即ちベース部３５ａを延長した部品であるベース部７１ａと、このベース部７１ａに着脱可能なカバー部７１ｂの２部品により構成されている。
【００３１】
リセットスイッチ収納部１０６内には、例えばリセットスイッチ７２などの電気部品が実装されたスイッチ基板７３が収納されている。このスイッチ基板７３は、図示しない接続ケーブルにより、制御基板被覆部１０３内の制御基板３３に電気的に接続される。リセットスイッチ７２は、使用者により手動で操作される手動スイッチの一例である。このリセットスイッチ７２には、カバー部７１ｂの裏面から突出する突出部７１ｃが対向している。この突出部７１ｃは、カバー部７１ｂの表面側に設けられた操作部７１ｄの裏側に設けられている。使用者により操作部７１ｄが押圧操作されて突起部７１ｃによりリセットスイッチ７２がオン操作されると、室内機１０に設定されている内容がリセットされるようになっている。
【００３２】
また、リセットスイッチ収納部１０６の左部には、通信アダプタ収納部７４が一体的に設けられている。この通信アダプタ収納部７４内には、室内機１０と当該室内機１０以外の外部機器との間で無線通信を行うための通信アダプタ７５を収納することが可能となっている。なお、外部機器としては、例えば室内機１０が設置された家屋内に存在する冷蔵庫、テレビなどの家電機器、パーソナルコンピュータなどの情報端末、或いは通信デバイスなど種々の機器が考えられる。
【００３３】
この場合、リセットスイッチ収納部１０６のカバー部７１ｂは、通信アダプタ収納部７４まで延出しており、従って、通信アダプタ収納部７４は、リセットスイッチ収納部１０６のカバー部７１ｂにより覆われる。即ち、リセットスイッチ収納部１０６のカバー部７１ｂは、通信アダプタ収納部７４のカバー部としても機能するようになっている。なお、このカバー部７１ｂは、図示しない１本のねじによりベース部７１ａに着脱可能に取り付けられるようになっている。
【００３４】
本実施形態に係る室内機１０によれば、電気部品３２が実装され室内機１０を制御する制御基板３３を有する電気部品ユニット３１を、化粧パネル２０により開閉される室内機本体１１の前面部に備える構成である。そして、この室内機１０において、電気部品ユニット３１は、制御基板３３を板金から形成された外ケース３４により覆うことで構成した制御基板被覆部１０３を含む不燃材料被覆部１０１と、制御基板３３以外の部品である電源コード固定部１０５やリセットスイッチ収納部１０６を板金から形成された部材により覆うことなく構成した不燃材料非被覆部１０２と、を一体的に有する。
【００３５】
即ち、室内機１０は、不燃材料被覆部１０１を、形状を加工しやすい板金から形成された部材により覆う構成とした。この構成によれば、電気部品ユニット３１を室内機本体１１の前面部に取り付けるために当該電気部品ユニット３１の形状を室内機本体１１の前面部の形状に合わせる場合であっても、その形状に合わせて板金の形状を加工することで、電気部品ユニット３１を不燃物により適切に覆うことができる。
【００３６】
また、室内機１０によれば、電気部品ユニット３１の耐火性を損なうことなく、当該電気部品ユニット３１を、メンテナンスがしやすい室内機本体１１の前面部に設置することができる。そのため、電気部品ユニット３１の耐火性の維持と電気部品ユニット３１のメンテナンス性の向上の双方を両立させることができる。
【００３７】
また、室内機１０によれば、電気部品ユニット３１は、不燃材により覆われる不燃材料被覆部１０１と不燃物により覆われない不燃材料非被覆部１０２という互いにコンセプトが異なる２つの要素を備えているが、これら不燃材料被覆部１０１と不燃材料非被覆部１０２とがユニット化されている。そのため、電気部品ユニット３１全体としての取り扱いが容易であり、室内機１０への着脱作業などの作業性を向上することができる。
【００３８】
また、室内機１０によれば、不燃材料非被覆部１０２の一例である電源コード固定部１０５は、制御基板３３以外の部品として、室内機１０に電力を供給するための電源コード２０１，２０２を固定する電源コード固定ホルダ４２を有する。従来の構成では、この種の電源コードは、コネクタ４１を覆う不燃材のカバーに取り付け具により固定されていた。即ち、コネクタ４１を覆うための不燃材のカバーを、電源コードを固定するための部材として兼用していたため、カバーの耐火性が損なわれるおそれがあった。また、当該カバーは、そもそも電源コードを固定するための専用の部材ではないため、電源コードを強固に固定することが困難であった。本実施形態に係る室内機１０によれば、電源コード２０１或いは電源コード２０２を固定するための電源コード固定ホルダ４２を、不燃物により覆うべき不燃材料被覆部１０１とは独立して別個に備えている。そのため、電源コード２０１或いは電源コード２０２の固定に伴い不燃材料被覆部１０１の耐火性が損なわれるおそれがなく、また、電源コード２０１或いは電源コード２０２を専用の固定ホルダ４２により強固に固定することができる。
【００３９】
また、室内機１０によれば、電源コード固定ホルダ４２は、少なくとも、２種類の電源コード２０１，２０２を固定可能に構成されている。よって、室内機１０が設置される部屋のコンセントから供給される電力の大きさに応じて、電源コード２０１を使用する場合及び電源コード２０２を使用する場合の何れにも対応することができる。なお、電源コード固定ホルダ４２は、電源コード支持部４４の数や形状などを適宜変更することにより、３種類以上の電源コードを固定可能に構成してもよい。
【００４０】
また、室内機１０によれば、不燃材料非被覆部１０２の一例である電源コード固定部１０５は、制御基板３３以外の部品として、化粧パネル２０の開閉を検知する開閉検知スイッチ４３を有する。この構成によれば、開閉検知スイッチ４３が不燃材に覆われていない構成を確実に実現することができる。従って、化粧パネル２０の開閉を、不燃材のカバーに阻害されることなく確実に検知することができる。
【００４１】
また、室内機１０によれば、不燃材料非被覆部１０２の一例であるリセットスイッチ収納部１０６は、制御基板３３以外の部品として、手動により操作されるリセットスイッチ７２を有する。この構成によれば、リセットスイッチ７２が不燃材に覆われていない構成を確実に実現することができる。従って、使用者は、リセットスイッチ７２の手動操作を、不燃材のカバーに阻害されることなく確実に行うことができる。
【００４２】
本実施形態に係る空気調和機の室内機は、室内機本体と、化粧パネルと、送風機と、エアフィルタと、熱交換器と、電気部品ユニットと、を備える。室内機本体は、上面部に吸込み口、下面部に吹出し口、内部に前記吸込み口と前記吹出し口との間を連通させる通風路を有する。化粧パネルは、前記室内機本体の前面開口部に開閉可能に設けられている。送風機は、前記通風路中に設けられ前記室内機本体外の空気を前記吸込み口から前記通風路内へ吸い込むとともに、前記通風路内の空気を前記吹出し口から前記室内機本体外へ吹き出す。エアフィルタは、前記通風路中に設けられ前記吸込み口から前記通風路内に吸い込まれる空気中の塵挨を捕獲する。熱交換器は、前記通風路にあって前記エアフィルタと前記送風機との間に設けられ前記エアフィルタを通過した空気と熱交換する。電気部品ユニットは、前記化粧パネルにより開閉される前記室内機本体の前面部に設けられ、電気部品が実装され室内機を制御する制御基板を有する。そして、前記電気部品ユニットは、不燃材料被覆部と、不燃材料非被覆部とを一体的に有する。不燃材料被覆部は、前記制御基板を板金から形成された部材により覆うことで構成したものである。不燃材料非被覆部は、前記制御基板以外の部品を前記板金から形成された部材により覆うことなく構成したものである。この構成によれば、室内機本体の前面部に電気部品ユニットを取り付ける場合であっても、当該電気部品ユニットを不燃物により適切に覆うことができる。
【００４３】
本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態及びその変形は、発明の範囲及び要旨に含まれるとともに、特許請求の範囲に記載された発明とその均等の範囲に含まれる。
【符号の説明】
【００４４】
図面中、１０は空気調和機の室内機、１１は室内機本体、１２は熱交換器、１３は送風機、１４は吸込み口、１５は吹出し口、１６は通風路、２０は化粧パネル、１７はエアフィルタ、３１は電気部品ユニット、３３は制御基板、４２は電源コード固定ホルダ、４３は開閉検知スイッチ、７２はリセットスイッチ（手動スイッチ）、１０１は不燃材料被覆部、１０２は不燃材料非被覆部、１０３は制御基板被覆部（不燃材料被覆部）、１０４はコネクタ被覆部（不燃材料被覆部）、１０５は電源コード固定部（不燃材料非被覆部）、１０６はリセットスイッチ収納部（不燃材料非被覆部）、２０１，２０２は電源コードを示す。
【図１】
0006523651.tif 000002
【図２】
0006523651.tif 000003
【図３】
0006523651.tif 000004
【図４】
0006523651.tif 000005
【図５】
0006523651.tif 000006
【図６】
0006523651.tif 000007
【図７】
0006523651.tif 000008
【図８】
0006523651.tif 000009
【図９】
0006523651.tif 000010
【図１０】
0006523651.tif 000011
【図１１】
0006523651.tif 000012
【図１２】
0006523651.tif 000013